(57)【要約】  ユーザによる入力イベントを受け付ける入力イベント処理部（２１）と、維持管理対象の設備を計測して得られた計測情報および設備の保守情報を含むデータを格納する設備維持管理データベース（２３）から、入力イベント処理部（２１）で受け付けられた入力イベントに関連するデータを取得するデータ取得部（２２）と、データ取得部（２２）で取得されたデータに基づいて、ユーザにより選択された設備についてのデータの取得時期の分布および設備上での分布を表示する処理を行い、ユーザにより選択されたデータについての詳細情報を表示する処理を行う表示処理部（２９）と、を備える。
2018138912.tif 000002
【特許請求の範囲】
【請求項１】
ユーザによる入力イベントを受け付ける入力イベント処理部と、
維持管理対象の設備を計測して得られた計測情報および設備の保守情報を含むデータを格納する設備維持管理データベースから、前記入力イベント処理部で受け付けられた前記入力イベントに関連するデータを取得するデータ取得部と、
前記データ取得部で取得されたデータに基づいて、前記ユーザにより選択された設備についてのデータの取得時期の分布および設備上での分布を表示する処理を行い、前記ユーザにより選択されたデータについての詳細情報を表示する処理を行う表示処理部と、
を備えることを特徴とする設備維持管理システム。
【請求項２】
前記表示処理部は、前記ユーザにより選択された設備についてのデータの取得時期の分布を表示する処理を行い、前記取得時期の分布において前記ユーザにより選択された取得時期におけるデータの設備上での分布を表示する処理を行い、前記設備上でのデータの分布において前記ユーザにより選択された位置のデータについての詳細情報を表示する処理を行う、
ことを特徴とする請求項１に記載の設備維持管理システム。
【請求項３】
前記入力イベント処理部は、前記ユーザから、表示対象の設備の選択、データの取得時期の分布からデータの表示対象とする取得時期の選択において１つ以上の取得時期の選択、および設備上でのデータの分布から詳細情報を表示する対象のデータの位置の選択において１つ以上の位置の選択、の入力イベントを受け付ける、
ことを特徴とする請求項１または２に記載の設備維持管理システム。
【請求項４】
前記表示処理部は、前記データの取得時期の分布の表示において、前記データの取得時期を時系列にして、データの種別が異なる同一取得時期のデータを積み重ねてまたは並べて表示する処理を行う、
ことを特徴とする請求項１から３のいずれか１つに記載の設備維持管理システム。
【請求項５】
前記表示処理部は、前記データの設備上での分布の表示において、前記設備を複数の区間に分けて、各区間においてデータの種別が異なる同一区間のデータを積み重ねてまたは並べて表示する処理を行い、さらに、選択された区間について前記計測情報を用いて前記設備を２次元表示または３次元表示し、２次元表示または３次元表示した設備の区間上に、該当するデータを分布して表示する処理を行う、
ことを特徴とする請求項１から４のいずれか１つに記載の設備維持管理システム。
【請求項６】
前記表示処理部は、前記データについての詳細情報の表示において、該当するデータについて前記データ取得部で前記設備維持管理データベースから取得された文字情報または画像情報の少なくとも１つを表示する処理を行う、
ことを特徴とする請求項１から５のいずれか１つに記載の設備維持管理システム。
【請求項７】
請求項１から６のいずれか１つに記載の処理を所望のデータについての詳細情報を表示するモードとする場合、
前記入力イベント処理部は、前記ユーザから、経年変化を表示するモードの選択、および経年変化の表示対象の設備の選択を受け付け、
前記データ取得部は、前記設備維持管理データベースから前記経年変化の表示対象の設備に関連するデータを取得し、
前記表示処理部は、規定された期間の単位で前記経年変化の表示対象の設備を並べて複数表示する処理を行い、各期間の設備上に少なくとも前記保守情報に含まれる一部の情報を表示する処理を行う、
ことを特徴とする請求項１から６のいずれか１つに記載の設備維持管理システム。
【請求項８】
前記表示処理部は、前記各期間の設備のいずれかにおいて重畳表示対象の範囲が選択された場合、前記重畳表示対象の範囲に該当する前記各期間の設備の範囲の部分を重畳表示する処理を行う、
ことを特徴とする請求項７に記載の設備維持管理システム。
【請求項９】
前記表示処理部の処理によって表示されている表示内容に対する前記ユーザの選択内容を、識別情報とともに記憶する記憶部、
を備え、
前記入力イベント処理部は、前記ユーザから前記識別情報を受け付け、
前記データ取得部は、前記記憶部を参照し、前記設備維持管理データベースから前記識別情報に基づく前記ユーザの選択内容に関連するデータを取得し、
前記表示処理部は、前記データ取得部で取得されたデータを用いて、前記表示内容と同じ表示内容を表示する処理を行う、
ことを特徴とする請求項１から８のいずれか１つに記載の設備維持管理システム。
【請求項１０】
前記表示処理部は、前記設備の全部または一部を２次元表示している場合、指定された範囲の表示を上下反転または左右反転して表示する処理を行う、
ことを特徴とする請求項１から９のいずれか１つに記載の設備維持管理システム。
【請求項１１】
前記表示処理部は、前記設備の全部または一部を２次元表示または３次元表示している場合、表示されている文字のうち指定された文字に対して、規定された表示内容を表示する処理を行う、
ことを特徴とする請求項１から９のいずれか１つに記載の設備維持管理システム。
【請求項１２】
前記表示処理部は、前記設備の全部または一部を２次元表示していて３次元表示に切り換える場合、または、前記設備の全部または一部を３次元表示していて２次元表示に切り換える場合、表示の切り換え時に切り換え過程をアニメーション表示する処理を行う、
ことを特徴とする請求項１から１１のいずれか１つに記載の設備維持管理システム。
【請求項１３】
前記表示処理部の表示処理によって表示を行う表示部と、
前記表示部の姿勢を検知する検知部と、
を備え、
前記表示処理部は、前記検知部の検知結果に基づいて、前記表示部の角度によって前記表示部に表示する設備の表示範囲を変更する表示処理を行う、
ことを特徴とする請求項１から１２のいずれか１つに記載の設備維持管理システム。
【請求項１４】
前記表示処理部は、前記設備を２次元表示または３次元表示している場合、前記検知部の検知結果に基づいて、前記表示部の姿勢が下から見上げる姿勢のときは前記設備を見上げる位置から見た状態で前記表示部に表示する処理を行い、前記表示部の姿勢が上から見下ろす姿勢のときは前記設備を見下ろす位置から見た状態で前記表示部に表示する処理を行う、
ことを特徴とする請求項１３に記載の設備維持管理システム。
【請求項１５】
設備維持管理システムにおける設備情報提供方法であって、
ユーザから表示対象の設備の選択を受け付け、維持管理対象の設備を計測して得られた計測情報および設備の保守情報を含むデータを格納する設備維持管理データベースから関連するデータを取得し、選択された設備についてのデータの取得時期の分布を表示する処理を行う第１の表示処理ステップと、
前記ユーザからデータの取得時期の分布からデータの表示対象とする取得時期の選択において１つ以上の取得時期の選択を受け付け、前記設備維持管理データベースから関連するデータを取得し、選択された取得時期におけるデータの設備上での分布を表示する処理を行う第２の表示処理ステップと、
前記ユーザから設備上でのデータの分布から詳細情報を表示する対象のデータの位置の選択において１つ以上の位置の選択を受け付け、前記設備維持管理データベースから関連するデータを取得し、選択された位置のデータについての詳細情報を表示する処理を行う第３の表示処理ステップと、
を含むことを特徴とする設備情報提供方法。
【請求項１６】
前記第１の表示処理ステップにおいて、前記データの取得時期を時系列にして、データの種別が異なる同一取得時期のデータを積み重ねてまたは並べて表示する処理を行う、
ことを特徴とする請求項１５に記載の設備情報提供方法。
【請求項１７】
前記第２の表示処理ステップにおいて、前記設備を複数の区間に分けて、各区間においてデータの種別が異なる同一区間のデータを積み重ねてまたは並べて表示する処理を行い、さらに、選択された区間について前記計測情報を用いて前記設備を２次元表示または３次元表示し、２次元表示または３次元表示した設備の区間上に、該当するデータを分布して表示する処理を行う、
ことを特徴とする請求項１５または１６に記載の設備情報提供方法。
【請求項１８】
前記第３の表示処理ステップにおいて、該当するデータについて前記設備維持管理データベースから取得した文字情報または画像情報の少なくとも１つを表示する処理を行う、
ことを特徴とする請求項１５から１７のいずれか１つに記載の設備情報提供方法。
【請求項１９】
請求項１５から１８のいずれか１つに記載の処理を所望のデータについての詳細情報を表示するモードとする場合、
前記ユーザから経年変化を表示するモードの選択および経年変化の表示対象の設備の選択を受け付け、前記設備維持管理データベースから前記経年変化の表示対象の設備に関連するデータを取得し、規定された期間の単位で前記経年変化の表示対象の設備を並べて複数表示する処理を行い、各期間の設備上に少なくとも前記保守情報に含まれる一部の情報を表示する処理を行う第４の表示処理ステップ、
を含むことを特徴とする請求項１５から１８のいずれか１つに記載の設備情報提供方法。
【請求項２０】
前記第４の表示処理ステップにおいて、前記各期間の設備のいずれかにおいて重畳表示対象の範囲が選択された場合、前記重畳表示対象の範囲に該当する前記各期間の設備の範囲の部分を重畳表示する処理を行う、
ことを特徴とする請求項１９に記載の設備情報提供方法。
【請求項２１】
前記ユーザから識別情報を受け付け、表示されている表示内容に対する前記ユーザの選択内容を前記識別情報とともに記憶する記憶部を参照し、前記設備維持管理データベースから前記識別情報に基づく前記ユーザの選択内容に関連するデータを取得し、前記表示内容と同じ表示内容を表示する処理を行う第５の表示処理ステップ、
を含むことを特徴とする請求項１５から２０のいずれか１つに記載の設備情報提供方法。
【請求項２２】
前記設備の全部または一部を２次元表示している場合、指定された範囲の表示を上下反転または左右反転して表示する処理を行う第６の表示処理ステップ、
を含むことを特徴とする請求項１５から２１のいずれか１つに記載の設備情報提供方法。
【請求項２３】
前記設備の全部または一部を２次元表示または３次元表示している場合、表示されている文字のうち指定された文字に対して、規定された表示内容を表示する処理を行う第７の表示処理ステップ、
を含むことを特徴とする請求項１５から２１のいずれか１つに記載の設備情報提供方法。
【請求項２４】
前記設備の全部または一部を２次元表示していて３次元表示に切り換える場合、または、前記設備の全部または一部を３次元表示していて２次元表示に切り換える場合、表示の切り換え時に切り換え過程をアニメーション表示する処理を行う第８の表示処理ステップ、
を含むことを特徴とする請求項１５から２３のいずれか１つに記載の設備情報提供方法。
【請求項２５】
前記設備維持管理システムが、表示を行う表示部を備える場合、
前記表示部の姿勢の検知結果に基づいて、前記表示部の角度によって前記表示部に表示する設備の表示範囲を変更する表示処理を行う第９の表示処理ステップ、
を含むことを特徴とする請求項１５から２４のいずれか１つに記載の設備情報提供方法。
【請求項２６】
前記第９の表示処理ステップにおいて、前記設備を２次元表示または３次元表示している場合、前記検知結果に基づいて、前記表示部の姿勢が下から見上げる姿勢のときは前記設備を見上げる位置から見た状態で前記表示部に表示する処理を行い、前記表示部の姿勢が上から見下ろす姿勢のときは前記設備を見下ろす位置から見た状態で前記表示部に表示する処理を行う、
ことを特徴とする請求項２５に記載の設備情報提供方法。
【発明の詳細な説明】
【技術分野】
【０００１】
本発明は、設備の維持管理を支援する設備維持管理システムおよび設備情報提供方法に関するものである。
【背景技術】
【０００２】
社会インフラ、例えば、トンネル、道路、橋などといった設備の点検および維持管理に対する効率化および高度化に向けて、ＭＭＳ（Mobile  Mapping  System）などの走行型計測装置が活用されている。ＭＭＳなどで取得されるデータには３次元位置情報および画像情報があり、これらの情報を解析および管理して設備の維持管理を支援するシステムが開発されている（特許文献１）。このようなシステムでは、対象の設備についての維持管理データ、具体的には、ＭＭＳなどで取得され解析された３Ｄ点群データ、変状展開図などの空間計測情報と、点検記録、補修記録、変状記録などの保守情報と、を複数年分表示でき、効率的に設備の維持管理業務が行えることが求められている。
【先行技術文献】
【特許文献】
【０００３】
【特許文献１】特開２０１６−１４２６６２号公報
【発明の概要】
【発明が解決しようとする課題】
【０００４】
しかしながら、上記従来の技術によれば、維持管理データへのアクセスは点検日時または空間の選択などから行うことが多いが、選択するための手がかりとなるデータが少ない。そのため、所望の維持管理データへのアクセス性がよくない、という問題があった。【０００５】
本発明は、上記に鑑みてなされたものであって、所望の維持管理データへのアクセス性を向上可能な設備維持管理システムを得ることを目的とする。
【課題を解決するための手段】
【０００６】
上述した課題を解決し、目的を達成するために、本発明の設備維持管理システムは、ユーザによる入力イベントを受け付ける入力イベント処理部を備える。また、設備維持管理システムは、維持管理対象の設備を計測して得られた計測情報および設備の保守情報を含むデータを格納する設備維持管理データベースから、入力イベント処理部で受け付けられた入力イベントに関連するデータを取得するデータ取得部を備える。また、設備維持管理システムは、データ取得部で取得されたデータに基づいて、ユーザにより選択された設備についてのデータの取得時期の分布および設備上での分布を表示する処理を行い、ユーザにより選択されたデータについての詳細情報を表示する処理を行う表示処理部を備えることを特徴とする。
【発明の効果】
【０００７】
本発明によれば、所望の維持管理データへのアクセス性を向上できる、という効果を奏する。
【図面の簡単な説明】
【０００８】
【図１】実施の形態１にかかる設備維持管理システムの構成例を示すブロック図
【図２】実施の形態１にかかる設備維持管理システムが選択された設備に関連するデータの取得時期の分布を表示する処理を示すフローチャート
【図３】実施の形態１にかかる設備維持管理システムが設備一覧を出力装置に表示し、さらに選択された設備についてのデータの取得時期の分布を時間軸で表示したときの例を示す図
【図４】実施の形態１にかかる設備維持管理システムが設備上でのデータの分布を空間軸上で表示する処理を示すフローチャート
【図５】実施の形態１にかかる設備維持管理システムが設備上でのデータの分布を空間軸領域に表示したときの例を示す図
【図６】実施の形態１にかかる設備維持管理システムが設備の選択された区間において設備上でのデータの分布を表示する処理を示すフローチャート
【図７】実施の形態１にかかる設備維持管理システムが設備上の選択された区間でのデータの分布を画像表示領域に表示したときの例を示す図
【図８】実施の形態１にかかる設備維持管理システムが設備の選択された部分についての詳細情報を表示する処理を示すフローチャート
【図９】実施の形態１にかかる設備維持管理システムが選択されたデータの詳細情報を表示したときの例を示す図
【図１０】実施の形態１にかかる設備維持管理システムが詳細情報領域に設備の写真一覧を表示したときの表示画面の例を示す図
【図１１】実施の形態１にかかる設備維持管理システムが詳細情報領域において写真一覧から選択された写真についての詳細情報を示す表示の例を示す図
【図１２】設備維持管理システムにおいて、ユーザが選択したデータの詳細情報を表示するまでの処理を示すフローチャート
【図１３】実施の形態１にかかる設備維持管理システムの処理回路をＣＰＵおよびメモリで構成する場合の例を示す図
【図１４】実施の形態１にかかる設備維持管理システムの処理回路を専用のハードウェアで構成する場合の例を示す図
【図１５】実施の形態２にかかる設備維持管理システムが設備の経年変化を表示する処理を示すフローチャート
【図１６】実施の形態２にかかる設備維持管理システムが設備の経年変化を３次元表示で行ったときの例を示す図
【図１７】実施の形態２にかかる設備維持管理システムが設備の経年変化を２次元表示で行ったときの例を示す図
【図１８】実施の形態２にかかる設備維持管理システムが設備の各区間の健全性の推移の表示の例を示す図
【図１９】実施の形態２にかかる設備維持管理システムが設備の各区間の健全性の推移の表示の他の例を示す図
【図２０】実施の形態２にかかる設備維持管理システムが特定の変状の経年変化を表示する例を示す図
【図２１】実施の形態３にかかる設備維持管理システムの構成例を示すブロック図
【図２２】実施の形態３にかかる設備維持管理システムが、入力イベントの情報を記憶する処理を示すフローチャート
【図２３】実施の形態３にかかる設備維持管理システムがユーザから受け付けたプリセット番号に基づいて出力装置３に表示をする処理を示すフローチャート
【図２４】実施の形態４にかかる設備維持管理システムが画像表示領域において指定された範囲を左右反転または上下反転にして表示する処理を示すフローチャート
【図２５】実施の形態４にかかる設備維持管理システムが画像表示領域において指定範囲で画像を左右反転または上下反転して表示している状態の例を示す図
【図２６】実施の形態４にかかる設備維持管理システムが画像表示領域において指定された文字に対して注釈文字を表示している状態の例を示す図
【図２７】実施の形態４にかかる設備維持管理システムが設備の表示形式を切り換えるときの表示の推移の例を示す図
【図２８】実施の形態５にかかる設備維持管理システムの構成例を示すブロック図
【図２９】実施の形態５にかかる設備維持管理システムと実際の設備との位置関係の例を示す図
【発明を実施するための形態】
【０００９】
以下に、本発明の実施の形態にかかる設備維持管理システムおよび設備情報提供方法を図面に基づいて詳細に説明する。なお、この実施の形態によりこの発明が限定されるものではない。
【００１０】
実施の形態１．
図１は、本発明の実施の形態１にかかる設備維持管理システム２の構成例を示すブロック図である。設備維持管理システム２は、入力装置１および出力装置３に接続されている。設備維持管理システム２は、例えば、パーソナルコンピュータであり、入力装置１はマウス、キーボードなどの入力機器であり、出力装置３はモニタなどの表示部である。図１では、設備維持管理システム２、入力装置１および出力装置３を別構成にしているが、入力装置１および出力装置３を含めた一体型として設備維持管理システム２を構成してもよい。また、設備維持管理システム２をサーバとし、入力装置１および出力装置３をクライアント端末として構成してもよい。
【００１１】
設備維持管理システム２の構成について説明する。設備維持管理システム２は、入力イベント処理部２１と、データ取得部２２と、設備維持管理データベース（以下、ＤＢとする。）２３と、データ処理部２４と、設備選択描画処理部２５と、時間軸描画処理部２６と、空間軸描画処理部２７と、詳細情報描画処理部２８と、を備える。データ処理部２４、設備選択描画処理部２５、時間軸描画処理部２６、空間軸描画処理部２７、および詳細情報描画処理部２８で表示処理部２９が構成される。
【００１２】
入力イベント処理部２１は、入力装置１を介してユーザから入力イベントを受け付け、受け付けた入力イベントの情報をデータ取得部２２に通知する。入力イベントとは、例えば、表示対象の設備の選択、データの取得時期の分布からデータの表示対象とする取得時期の選択において１つ以上の取得時期の選択、設備上でのデータの分布から詳細情報を表示する対象のデータの位置の選択において１つ以上の位置の選択、などである。入力イベント処理部２１においてユーザから受け付けるものは入力イベントとする。なお、ユーザから入力イベントを受け付ける方法は、マウスまたはキーボードによる入力以外の方法であってもよい。例えば、ユーザが設備のある現場でパーソナルコンピュータと接続されたカメラまたはスキャナを用いて設備自体を撮影した場合、入力イベント処理部２１は、画像認識の結果を設備の選択の入力イベントとして受け付けてもよい。または、ユーザが設備にシールなどで付された名称、点検または補修の種別および時期が記録された文字情報またはバーコード情報などをスキャナまたはバーコードリーダーで読み取った場合、入力イベント処理部２１は、読み取った情報を設備の選択の入力イベントとして受け付けてもよい。すなわち、入力イベントを半自動的にするようにしてもよい。
【００１３】
データ取得部２２は、入力イベント処理部２１から取得した入力イベントの情報に基づいて、入力イベントに対応する表示を行うため入力イベントに関連するデータを設備維持管理ＤＢ２３から取得する。データ取得部２２は、取得したデータをデータ処理部２４に出力する。
【００１４】
設備維持管理ＤＢ２３は、維持管理対象のインフラすなわち設備についてのデータを格納しているデータベースである。設備維持管理ＤＢ２３に格納されているデータには、例えば、ＭＭＳなどによって３次元計測された各設備の３次元点群データ、または２次元計測された各設備の写真などの計測情報がある。計測情報については、３次元点群データおよび写真の両方が格納されていてもよいし、ＣＡＤ（Computer  Aided  Design）データを使用してもよい。また、設備維持管理ＤＢ２３に格納されているデータには、各設備を点検したときの点検記録、各設備を補修したときの補修記録、３次元点群データまたは写真から得られた変状記録などの保守情報がある。各データには、データの対象の設備を示す設備の名称、設備の種類がトンネルまたは道路などの設備の分類を示す分類情報、設備の設置位置の情報、データが設備の一部の部分についてのものである場合は設備上での位置の情報、写真または点検記録などデータの属性を示す属性情報、データの取得時期などの情報を含む。また、変状記録には、変状についての健全性の情報を含んでいてもよい。なお、図１では設備維持管理ＤＢ２３が１つのデータベースになっているが、一例であり、計測情報毎および保守情報毎に異なるデータベースであってもよい。また、設備維持管理ＤＢ２３については、設備維持管理システム２の外部にあってもよい。
【００１５】
データ処理部２４は、データ取得部２２が設備維持管理ＤＢ２３から取得したデータを、出力装置３に表示をするためのいずれかの描画処理部に出力する。なお、データ処理部２４については、データ取得部２２から取得したデータの種類によってどの描画処理部にデータを出力するのか、ユーザによって予め設定されているものとする。
【００１６】
設備選択描画処理部２５は、出力装置３にデータの詳細情報を表示する対象の設備を選択するための情報を表示する処理を行う。
【００１７】
時間軸描画処理部２６は、設備維持管理ＤＢ２３に格納されているデータのうちユーザにより選択された設備のデータについて取得時期の分布を出力装置３に表示する処理を行う。
【００１８】
空間軸描画処理部２７は、ユーザにより選択された設備のある取得時期のデータについての設備上での分布を出力装置３に表示する処理を行う。また、空間軸描画処理部２７は、設備を複数の区間に分けた場合に、ユーザにより選択された設備の区間でのデータの分布を３次元点群データなどによる設備の表示とともに出力装置３に表示する処理を行う。
【００１９】
詳細情報描画処理部２８は、ユーザにより選択された変状などの設備上の特定の部分のデータについての詳細情報を出力装置３に表示する処理を行う。
【００２０】
つづいて、設備維持管理システム２が、ユーザからの入力を受け付けて、ユーザが所望する設備の変状部分などの特定部分についてのデータの詳細情報を出力装置３に表示する処理について説明する。
【００２１】
図２は、実施の形態１にかかる設備維持管理システム２が選択された設備に関連するデータの取得時期の分布を表示する処理を示すフローチャートである。設備維持管理システム２では、電源投入後、またはユーザから設備のデータの詳細情報の表示要求を受け付けると、表示対象の設備を選択するための情報を出力装置３に表示する処理を行う。具体的に、設備維持管理システム２では、入力イベント処理部２１が、入力装置１を介してユーザによる設備のデータの詳細情報の表示要求を受け付ける（ステップＳＴ１）。入力イベント処理部２１は、設備のデータの詳細情報の表示要求を受け付けたことをデータ取得部２２に通知する。
【００２２】
データ取得部２２は、設備維持管理ＤＢ２３から、設備維持管理ＤＢ２３に格納されているデータの対象の設備について、設備の名称の情報を取得する（ステップＳＴ２）。データ取得部２２は、取得した設備の名称の情報をデータ処理部２４に出力する。
【００２３】
データ処理部２４は、取得した設備の名称の情報を設備選択描画処理部２５に出力する。設備選択描画処理部２５は、取得した設備の名称の情報に基づいて、設備を選択可能な設備一覧を出力装置３に表示する（ステップＳＴ３）。
【００２４】
ユーザは、設備一覧を参照し、入力装置１によって設備のデータを表示する対象となる所望の設備を選択する。入力イベント処理部２１は、入力装置１を介してユーザによる設備の選択を受け付ける（ステップＳＴ４）。ここでは、設備の名称が「Ｄトンネル」のトンネルが選択されたものとする。入力イベント処理部２１は、名称が「Ｄトンネル」のトンネルが選択されたことをデータ取得部２２に通知する。
【００２５】
データ取得部２２は、入力イベント処理部２１からの通知を受け、設備維持管理ＤＢ２３に格納されているデータのうち、設備の名称が「Ｄトンネル」に関連するデータの各データについて、データの取得時期の情報を取得する（ステップＳＴ５）。「Ｄトンネル」に関連するデータは、データの対象の設備が「Ｄトンネル」であればよく、写真または点検記録などデータの属性は問わない。データ取得部２２は、取得した「Ｄトンネル」についてのデータの取得時期の情報をデータ処理部２４に出力する。
【００２６】
データ処理部２４は、取得した「Ｄトンネル」についてのデータの取得時期の情報を時間軸描画処理部２６に出力する。時間軸描画処理部２６は、取得した「Ｄトンネル」についてのデータの取得時期の情報に基づいて、「Ｄトンネル」に関連するデータの各データについて、データの取得時期の分布を示す時間軸での表示を出力装置３に表示する（ステップＳＴ６）。
【００２７】
図３は、実施の形態１にかかる設備維持管理システム２が設備一覧を出力装置３に表示し、さらに選択された設備についてのデータの取得時期の分布を時間軸で表示したときの例を示す図である。図３に示す表示は、設備維持管理システム２が出力装置３に表示したときの出力装置３の表示画面の例である。以降の説明においても、設備維持管理システム２が表示を行ったときの表示の例は、出力装置３の表示画面に表示を行ったものである、前述のように、設備維持管理システム２は、まず出力装置３に設備一覧３０１を表示し、つぎに選択された設備についてのデータの取得時期の分布を時間軸領域３０２に表示する。図３では、時間軸描画処理部２６が、データの属性に係わらず、１つの点検記録を１つのデータ、１つの写真を１つのデータ、１つの補修記録を１つのデータなどのようにカウントし、データの取得時期の分布を時間軸によって時間軸領域３０２に表示する。これにより、ユーザは、選択した表示対象の設備についてのデータの取得時期の分布を確認することができる。ユーザは、時間軸領域３０２を手がかりにして、点検記録、写真、補修記録などの各データの数を合算したデータ数が多い場合、選択した設備においてこの時期に何らかの変化があったと推測することができる。なお、設備一覧３０１については、図３に示す表形式ではなく、該当する設備を地図上に表示して地図上から選択できるような表示画面の構成であってもよい。
【００２８】
つぎに、図３においてユーザが選択した取得時期のデータについて、設備上でのデータの分布を表示する処理について説明する。図４は、実施の形態１にかかる設備維持管理システム２が設備上でのデータの分布を空間軸上で表示する処理を示すフローチャートである。設備維持管理システム２では、入力イベント処理部２１が、入力装置１を介してユーザによる時間軸領域３０２の取得時期の選択を受け付ける（ステップＳＴ１１）。ユーザは、取得時期の選択において、図３の時間軸領域３０２において１つの取得時期を選択してもよいし、複数の取得時期を選択してもよい。すなわち、ユーザは、時間軸領域３０２において１つ以上の取得時期を選択可能である。入力イベント処理部２１は、受け付けた時間軸領域３０２の取得時期の情報をデータ取得部２２に通知する。
【００２９】
データ取得部２２は、設備維持管理ＤＢ２３から、選択された取得時期のデータについて設備上での位置情報を取得する（ステップＳＴ１２）。データ取得部２２は、選択された取得時期のデータについて設備上での位置情報を取得すると、データ処理部２４に出力する。
【００３０】
データ処理部２４は、選択された取得時期のデータについて設備上での位置情報を取得すると、空間軸描画処理部２７に出力する。空間軸描画処理部２７は、選択された取得時期のデータについて設備上での位置情報に基づいて、設備上でのデータの分布を出力装置３に表示する（ステップＳＴ１３）。
【００３１】
図５は、実施の形態１にかかる設備維持管理システム２が設備上でのデータの分布を空間軸領域３０３に表示したときの例を示す図である。ここでは、設備維持管理システム２は、空間軸領域３０３において、時間軸領域３０２のうち１つの取得時期のデータについて設備上でのデータの分布を空間軸によって示している。図５に示す空間軸では「Ｄトンネル」を複数のスパンすなわち区間（図５中のＳ１，Ｓ２，…，ＳＮ：Ｎは自然数）に分けて、各データがどの区間に対応するものであるかを示している。なお、図５の空間軸領域３０３においてＰＳはトンネルの始点すなわち入口を示している。これにより、ユーザは、データの表示対象の設備について設備上での分布を確認することができる。ユーザは、空間軸領域３０３の表示を手がかりにして、点検記録、写真、補修記録などの各データの数を合算したデータ数が多い区間において、この区間で何らかの変化があったと推測することができる。
【００３２】
つぎに、図５においてユーザが選択した設備の区間でのデータの分布を表示する処理について説明する。図６は、実施の形態１にかかる設備維持管理システム２が設備の選択された区間において設備上でのデータの分布を表示する処理を示すフローチャートである。設備維持管理システム２では、入力イベント処理部２１が、入力装置１を介してユーザによる空間軸領域３０３の区間の選択を受け付ける（ステップＳＴ２１）。ユーザは、区間の選択において、図５の空間軸領域３０３において１つの区間を選択してもよいし、複数の区間を選択してもよい。すなわち、ユーザは、空間軸領域３０３において１つ以上の区間を選択可能である。入力イベント処理部２１は、受け付けた空間軸領域３０３の区間の情報をデータ取得部２２に通知する。
【００３３】
データ取得部２２は、設備維持管理ＤＢ２３から、選択された区間についての設備の３次元点群データまたは写真などの計測情報を取得する（ステップＳＴ２２）。データ取得部２２は、取得した区間の計測情報をデータ処理部２４に出力する。
【００３４】
データ処理部２４は、選択された区間の計測情報を取得すると、空間軸描画処理部２７に出力する。空間軸描画処理部２７は、選択された区間の計測情報に基づいて、画像上でのデータの分布を出力装置３に表示する（ステップＳＴ２３）。
【００３５】
図７は、実施の形態１にかかる設備維持管理システム２が設備上の選択された区間でのデータの分布を画像表示領域３０４に表示したときの例を示す図である。ここでは、「Ｄトンネル」が複数の区間から表される場合に、「Ｄトンネル」のうち区間Ｓ４の部分を画像表示領域３０４に３Ｄ表示している。これにより、ユーザは、設備のどの位置に変状があり、どの位置を補修または点検したのかを確認することができる。ユーザは、画像表示領域３０４の表示を手がかりにして、詳細情報を確認したい所望のデータにアクセスすることができる。
【００３６】
つぎに、図７において表示された変状などのデータの詳細情報を表示する処理について説明する。図８は、実施の形態１にかかる設備維持管理システム２が設備の選択された部分についての詳細情報を表示する処理を示すフローチャートである。設備維持管理システム２では、入力イベント処理部２１が、入力装置１を介してユーザによる設備上において詳細情報を表示する部分すなわちデータの選択を受け付ける（ステップＳＴ３１）。詳細情報を表示する部分すなわちデータは、画像表示領域３０４に表示されている変状などのデータである。ユーザは、入力装置１によって特定の変状のデータを個別に選択、または任意の範囲を設定してその範囲に含まれる変状のデータをまとめて選択する。なお、変状の簡単な情報については図７の画像表示領域３０４で表示してもよいし、色分けなどによって変状の種類の違いを可視化していてもよい。入力イベント処理部２１は、受け付けた詳細情報を表示するデータの情報をデータ取得部２２に通知する。
【００３７】
データ取得部２２は、設備維持管理ＤＢ２３から、選択されたデータの詳細情報を取得する（ステップＳＴ３２）。データ取得部２２は、選択されたデータの詳細情報を取得すると、データ処理部２４に出力する。
【００３８】
データ処理部２４は、選択されたデータの詳細情報を取得すると、詳細情報描画処理部２８に出力する。詳細情報描画処理部２８は、選択されたデータの詳細情報を取得すると、取得したデータに基づいて、選択されたデータの詳細情報を出力装置３に表示する（ステップＳＴ３３）。
【００３９】
図９は、実施の形態１にかかる設備維持管理システム２が選択されたデータの詳細情報を表示したときの例を示す図である。図７に示す表示に対して詳細情報領域３０５の表示を追加したものである。ここでは、選択されたデータの詳細情報として文字情報を表示している。これにより、ユーザは、選択した変状などについての詳細情報、例えば、点検年月日、健全性など（複数期間を指定している場合は、例えばその中で最新の情報）を確認することができる。健全性としては、「１：健全高い」〜「４：健全性低い」のように設定可能である。なお、図９では健全性のレベルをローマ数字で表している。以降の図においても同様とする。このように、ユーザは、設備維持管理システム２において、確認したい設備を選択すると、時間軸領域３０２によって変状などの発生時期を推定することができる。また、ユーザは、設備維持管理システム２において、時間軸領域３０２を手がかりにしてデータの特定の取得時期を選択し、さらに空間軸領域３０３を手がかりにして設備の特定の区間を選択し、設備の選択した部分のデータ、例えば変状についての詳細情報を確認することができる。なお、前述のように、ユーザは、時間軸領域３０２から複数の取得時期を選択可能である。この場合、設備維持管理システム２は、空間軸領域３０３および画像表示領域３０４において、選択された全ての取得時期のデータを合算または重畳して表示してもよいし、複数の取得時期のある特定の時期、例えば最新のデータを代表して表示してもよいし、各取得時期のデータを切り替えられるようにして表示してもよい。設備維持管理システム２は、例えば、空間軸領域３０３では選択された全ての取得時期のデータを積み上げて表示してもよいし、画像表示領域３０４では経年変化が分かるように各取得時期のデータによる画像を重畳して表示してもよい。
【００４０】
なお、設備維持管理システム２では、時間軸描画処理部２６および空間軸描画処理部２７が、図９などに示すように、時間軸領域３０２および空間軸領域３０３において各種のデータを積み重ねて棒グラフの形式で表示していたが、各データの表示方法はこれらに限定されるものではない。設備維持管理システム２は、時間軸領域３０２において各種のデータ毎に、具体的には、各種のデータを積み重ねないで、点検記録毎、補修記録毎、変状の写真毎に並べて棒グラフによる表示を行ってもよい。また、設備維持管理システム２は、データ数を表す方法については、棒グラフの他に円グラフなどを用いてもよい。また、設備維持管理システム２は、データ数が多い場合、時間軸領域３０２および空間軸領域３０３において、棒グラフまたは円グラフなどではなく、前回のデータ量からの差分表示によってデータ量を表示してもよい。また、空間軸領域３０３には、棒グラフまたは円グラフではなく、変状展開図を表示してもよい。さらに、変状展開図は棒グラフまたは円グラフと並置して表示してもよい。
【００４１】
また、設備維持管理システム２において、画像表示領域３０４に表示する設備の状態については、３次元点群データを用いた３Ｄ表示に限定するものではなく、２Ｄ表示を行ってもよい。また、設備維持管理システム２は、画像表示領域３０４において変状展開図において選択された区間の部分の表示を行ってもよい。
【００４２】
また、設備維持管理システム２において、画像表示領域３０４を表示せず、詳細情報領域３０５に写真一覧などの画像情報を表示してもよい。図１０は、実施の形態１にかかる設備維持管理システム２が詳細情報領域３０５に設備の写真一覧を表示したときの表示画面の例を示す図である。図１０では、設備維持管理システム２は、時間軸領域３０２で選択された取得時期の範囲に該当する写真を詳細情報領域３０５にサムネイル表示している。各写真の右上に示される数字は写真の枚数を示す。設備維持管理システム２は、詳細情報領域３０５にサムネイル表示されている写真がユーザによって選択されると、選択された写真についての詳細情報を表示する。
【００４３】
図１１は、実施の形態１にかかる設備維持管理システム２が詳細情報領域３０５において写真一覧から選択された写真についての詳細情報を示す表示の例を示す図である。図１１に示す表示は、図１０に示す表示画面に重ねて表示するようにしてもよいし、図１０において空いている画像表示領域３０４の部分に表示してもよい。図１１に示すように、選択された写真に関連する全ての写真、および撮影日時などの情報を表示する。図１１において、左上の３枚の写真については日付順に並べて表示してもよいし、健全性のレベル順、例えば健全性のレベルの悪い順に並べて表示してもよい。なお、図１０などに示す詳細情報領域３０５での写真一覧の表示については、図９の表示画面でも表示できるようにしてもよい。例えば、図９の詳細情報領域３０５の上に「詳細情報」、「写真一覧」などのタブを設定しておき、ユーザが各タブを選択することによって、設備維持管理システム２が詳細情報領域３０５の表示内容を切り替えられるようにしてもよい。
【００４４】
ユーザが選択したデータの詳細情報を表示するまでの設備維持管理システム２としての処理をフローチャートにして簡単に説明する。図１２は、設備維持管理システム２において、ユーザが選択したデータの詳細情報を表示するまでの処理を示すフローチャートである。まず、設備維持管理システム２では、入力イベント処理部２１が、ユーザから表示対象の設備の選択を受け付ける。データ取得部２２が、設備維持管理ＤＢ２３から関連するデータを取得する。表示処理部２９が、選択された設備についてのデータの取得時期の分布を表示する処理を行う（ステップＳＴ４１）。ステップＳＴ４１の詳細な処理は、図２のフローチャートの処理となる。ステップＳＴ４１の処理を第１の表示処理ステップとする。
【００４５】
設備維持管理システム２では、入力イベント処理部２１が、ユーザからデータの取得時期の分布からデータの表示対象とする取得時期の選択において１つ以上の取得時期の選択を受け付ける。データ取得部２２が、設備維持管理ＤＢ２３から関連するデータを取得する。表示処理部２９が、選択された取得時期におけるデータについて、設備上でのデータの分布を表示する処理を行う（ステップＳＴ４２）。ステップＳＴ４２の詳細な処理は、図４および図６のフローチャートの処理となる。ステップＳＴ４２の処理を第２の表示処理ステップとする。
【００４６】
設備維持管理システム２では、入力イベント処理部２１が、ユーザから設備上でのデータの分布から詳細情報を表示する対象のデータの位置の選択において１つ以上の位置の選択を受け付ける。データ取得部２２が、設備維持管理ＤＢ２３から関連するデータを取得する。表示処理部２９が、選択された位置のデータの詳細情報を表示する処理を行う（ステップＳＴ４３）。ステップＳＴ４３の詳細な処理は、図８のフローチャートの処理となる。ステップＳＴ４３の処理を第３の表示処理ステップとする。
【００４７】
つづいて、設備維持管理システム２のハードウェア構成について説明する。設備維持管理システム２において、設備維持管理ＤＢ２３はメモリにより実現される。入力イベント処理部２１、データ取得部２２、データ処理部２４、設備選択描画処理部２５、時間軸描画処理部２６、空間軸描画処理部２７、および詳細情報描画処理部２８は処理回路により実現される。すなわち、設備維持管理システム２は、選択した設備の所望の部分の詳細情報を表示するための処理回路を備える。処理回路は、メモリに格納されるプログラムを実行するＣＰＵおよびメモリであってもよいし、専用のハードウェアであってもよい。
【００４８】
図１３は、実施の形態１にかかる設備維持管理システム２の処理回路をＣＰＵおよびメモリで構成する場合の例を示す図である。処理回路がＣＰＵ９１およびメモリ９２で構成される場合、設備維持管理システム２の処理回路の各機能は、ソフトウェア、ファームウェア、またはソフトウェアとファームウェアとの組み合わせにより実現される。ソフトウェアまたはファームウェアはプログラムとして記述され、メモリ９２に格納される。処理回路では、メモリ９２に記憶されたプログラムをＣＰＵ９１が読み出して実行することにより、各機能を実現する。すなわち、設備維持管理システム２において、処理回路は、選択した設備の所望の部分の詳細情報を表示することが結果的に実行されることになるプログラムを格納するためのメモリ９２を備える。また、これらのプログラムは、設備維持管理システム２の手順および方法をコンピュータに実行させるものであるともいえる。ここで、ＣＰＵ９１は、処理装置、演算装置、マイクロプロセッサ、マイクロコンピュータ、プロセッサ、またはＤＳＰ（Digital  Signal  Processor）などであってもよい。また、メモリ９２とは、例えば、ＲＡＭ（Random  Access  Memory）、ＲＯＭ（Read  Only  Memory）、フラッシュメモリ、ＥＰＲＯＭ（Erasable  Programmable  ＲＯＭ）、ＥＥＰＲＯＭ（登録商標）（Electrically  ＥＰＲＯＭ）などの、不揮発性または揮発性の半導体メモリ、磁気ディスク、フレキシブルディスク、光ディスク、コンパクトディスク、ミニディスク、またはＤＶＤ（Digital  Versatile  Disc）などが該当する。
【００４９】
図１４は、実施の形態１にかかる設備維持管理システム２の処理回路を専用のハードウェアで構成する場合の例を示す図である。処理回路が専用のハードウェアである場合、図１４に示す処理回路９３は、例えば、単一回路、複合回路、プログラム化したプロセッサ、並列プログラム化したプロセッサ、ＡＳＩＣ（Application  Specific  Integrated  Circuit）、ＦＰＧＡ（Field  Programmable  Gate  Array）、またはこれらを組み合わせたものが該当する。設備維持管理システム２の各機能を機能別に処理回路９３で実現してもよいし、各機能をまとめて処理回路９３で実現してもよい。
【００５０】
なお、設備維持管理システム２の各機能について、一部を専用のハードウェアで実現し、一部をソフトウェアまたはファームウェアで実現するようにしてもよい。このように、処理回路は、専用のハードウェア、ソフトウェア、ファームウェア、またはこれらの組み合わせによって、上述の各機能を実現することができる。
【００５１】
以上説明したように、本実施の形態によれば、設備維持管理システム２は、ユーザから選択された設備に関連するデータの取得時期の分布を表示し、ユーザから選択された取得時期のデータについて設備上での分布を表示し、ユーザから選択された変状などのデータについての詳細情報を表示することとした。ユーザは、データの取得時期の分布および設備上でのデータの分布を手がかりにして所望のデータにアクセスする。これにより、設備維持管理システム２は、所望の維持管理データへのユーザのアクセス性を向上することができる。
【００５２】
実施の形態２．
実施の形態１では、設備の所望の部分のデータの詳細情報を表示する方法について説明した。実施の形態２では、設備の経年変化を表示する方法について説明する。なお、設備維持管理システム２の構成は実施の形態１と同様とする。
【００５３】
設備維持管理システム２は、実施の形態１で実施した処理を所望のデータの詳細情報を表示するモードとした場合、まず、ユーザから、設備のデータの詳細情報の表示要求を受け付けていた。設備維持管理システム２は、実施の形態２では、ユーザから、経年変化を表示するモードの選択、および経年変化の表示対象の設備の選択を受け付ける。
【００５４】
図１５は、実施の形態２にかかる設備維持管理システム２が設備の経年変化を表示する処理を示すフローチャートである。設備維持管理システム２では、入力イベント処理部２１が、入力装置１を介してユーザによる設備の経年変化の表示要求を受け付ける（ステップＳＴ５１）。入力イベント処理部２１は、設備のデータの経年変化の表示要求を受け付けたことをデータ取得部２２に通知する。
【００５５】
データ取得部２２は、設備維持管理ＤＢ２３から、設備維持管理ＤＢ２３に格納されているデータの対象の設備について、設備の名称の情報を取得する（ステップＳＴ５２）。データ取得部２２は、取得した設備の名称の情報をデータ処理部２４に出力する。
【００５６】
データ処理部２４は、取得した設備の名称の情報を設備選択描画処理部２５に出力する。設備選択描画処理部２５は、取得した設備の名称の情報に基づいて、設備を選択可能な設備一覧を出力装置３に表示する（ステップＳＴ５３）。
【００５７】
ユーザは、設備一覧を参照し、入力装置１によって経年変化を表示する対象となる所望の設備を選択する。入力イベント処理部２１は、入力装置１を介してユーザによる設備の選択を受け付ける（ステップＳＴ５４）。ここでは、設備の名称が「Ｄトンネル」のトンネルが選択されたものとする。入力イベント処理部２１は、名称が「Ｄトンネル」のトンネルが選択されたことをデータ取得部２２に通知する。
【００５８】
データ取得部２２は、入力イベント処理部２１からの通知を受け、設備維持管理ＤＢ２３から、選択された設備、ここでは設備の名称が「Ｄトンネル」に関連するデータを取得する（ステップＳＴ５５）。データ取得部２２は、取得した「Ｄトンネル」についてのデータをデータ処理部２４に出力する。
【００５９】
データ処理部２４は、取得した「Ｄトンネル」についてのデータを空間軸描画処理部２７に出力する。空間軸描画処理部２７は、選択された設備についての経年変化の表示を行う（ステップＳＴ５６）。具体的に、空間軸描画処理部２７は、取得した「Ｄトンネル」についてのデータに基づいて、「Ｄトンネル」を規定された期間、例えば１年の単位で並べて複数表示し、各期間の「Ｄトンネル」の上に少なくとも保守情報に含まれる一部の情報、例えば変状を表示する処理を行う。図１５に示す設備維持管理システム２の処理を第４の表示処理ステップとする。
【００６０】
図１６は、実施の形態２にかかる設備維持管理システム２が設備の経年変化を３次元表示で行ったときの例を示す図である。図１６において、ｔの軸は時間軸を示し、他方の軸は「Ｄトンネル」での位置すなわち区間を示す。以降の図においても同様とする。図１６では、時間軸描画処理部２６が、「Ｄトンネル」についての２０１２年から２０１４年までの３年分の変状のデータを表示している例を示している。時間軸描画処理部２６は、図１６に示す表示を、図９などの画像表示領域３０４、または空間軸領域３０３および画像表示領域３０４を使って表示する。これにより、ユーザは、表示対象の設備についての変状の変化の推移を確認することができる。なお、設備維持管理システム２は、ユーザが図１６に示す表示から特定の部分、例えば、図１６に示すように２０１３年の時期のＳ２の区間を選択した場合、実施の形態１と同様、この区間の変状についてのデータの詳細情報を図９などの詳細情報領域３０５に表示してもよい。
【００６１】
また、設備の経年変化を表示する場合には、設備を３次元表示ではなく、２次元表示すなわち展開図を用いて表示してもよい。図１７は、実施の形態２にかかる設備維持管理システム２が設備の経年変化を２次元表示で行ったときの例を示す図である。この場合でも、図１６のときと同様の効果を得ることができる。設備維持管理システム２が図１６および図１７のどちらの表示も可能な場合、ユーザは、着目している変状の見易さによって、図１６および図１７の表示を切り換えて表示させてもよい。
【００６２】
また、設備維持管理システム２では、設備の経年変化を表示する場合、特定の情報のみを用いて表示を行うことも可能である。図１８は、実施の形態２にかかる設備維持管理システム２が設備の各区間の健全性の推移の表示の例を示す図である。図１８において、上側が健全性表示領域であり、下側が展開図表示領域である。下側の展開図表示領域には、ある期間、例えば最新の変状展開図が表示されている。設備維持管理システム２は、図１８では「Ｄトンネル」の具体的な計測情報は使用せず、「Ｄトンネル」での位置すなわち区間、点検記録および補修記録の実施年月日、および健全性の情報を使用して表示をしている。図１８の表示では、ユーザは、下側の展開図表示領域に変状展開図が表示されているある期間を除いては、変状の具体的な形状、変状が「Ｄトンネル」の側面または天井に発生しているのかなどは確認することはできないが、「Ｄトンネル」全体としての健全性の推移を把握することができる。これにより、ユーザは、「Ｄトンネル」の全体として健全性が低いと判断した場合には、大規模補修を行うなど計画をたてることができる。なお、設備維持管理システム２は、図１８に示す上側の健全性表示領域において、ユーザがバー１８０１を上下にスライドさせる操作を行うことによって、下側の展開図表示領域に表示される変状展開図の時期を変更できるようにしてもよい。
【００６３】
図１９は、実施の形態２にかかる設備維持管理システム２が設備の各区間の健全性の推移の表示の他の例を示す図である。図１８と同様、上側が健全性表示領域であり、下側が展開図表示領域である。健全性表示領域において、「○」は新たに変状を確認した時期を示し、「×」は変状が補修されて無くなった時期を示す。実際には同じ区間内に複数の変状が発生していることがあるため、設備維持管理システム２は、図１９に示すように、変状毎の健全性の推移を示す。ユーザは、図１９に示す図を確認することによって、「Ｄトンネル」で発生している個々の変状の健全性の推移を把握することができる。
【００６４】
また、設備維持管理システム２では、図１６または図１７に示す表示の状態においてユーザから特定の変状が選択された場合、選択された変状のみの経年変化を表示してもよい。図２０は、実施の形態２にかかる設備維持管理システム２が特定の変状の経年変化を表示する例を示す図である。設備維持管理システム２は、図１６または図１７に示す表示の状態においてユーザから特定の変状が選択された場合、選択された変状のみを表示する別画面を用いて、変状の推移を表示する。設備維持管理システム２は、図２０に示すように、該当する変状についてのデータの取得時期を右側に表示し、チェックボックスなどによって選択された取得時期の変状のみを左側に表示するようにしてもよい。設備維持管理システム２において、空間軸描画処理部２７は、各期間の設備のいずれかにおいて重畳表示対象の範囲が選択された場合、図２０に示すように、重畳表示対象の範囲に該当する各期間の設備の範囲の部分を重畳表示する処理を行う。これにより、ユーザは、特定の変状についての経年変化の推移を容易に確認することができる。
【００６５】
なお、設備維持管理システム２は、設備の経年変化を表示することによって、副次的に、あるべき設備が無くなっていることを検出することも可能である。例えば、前年まであった道路の標識またはガードレールが無くなっている場合である。設備維持管理システム２は、このような場合、あるべき設備が無くなっていることを経年変化の画面上に表示してもよい。これにより、ユーザは、設備の有無を把握することができる。
【００６６】
以上で説明した実施の形態２の処理については、処理の最初の段階で実施の形態１と異なるモードを選択するようにしていたが、これに限定されるものではない。設備維持管理システム２は、実施の形態１の処理の後に実施の形態２の処理を行えるようにしてもよい。設備維持管理システム２は、実施の形態１においてあるデータの詳細データを表示しているとき、ユーザがさらに経年変化の処理を選択することによって、詳細データを表示しているデータの取得時期の前後の取得時期を含めて、図１６のような表示を行ってもよい。この場合、設備維持管理システム２は、図９の表示の上にさらに図１６の表示を行ってもよい。
【００６７】
以上説明したように、本実施の形態によれば、設備維持管理システム２は、選択された設備について、変状などの保守情報を含めて各時期の設備の状態を並べて表示する。これにより、ユーザは、特定の変状についての経年変化の推移を容易に確認することができる。
【００６８】
実施の形態３．
実施の形態１，２では、設備維持管理システム２で所望の表示をするまでにユーザがいくつかの処理をする必要があった。ユーザとしては、設備維持管理システム２において同じ条件に基づく表示を頻繁に利用することがある。実施の形態３では、ユーザの選択によって表示された表示内容を設備維持管理システムが記憶する場合について説明する。
【００６９】
図２１は、実施の形態３にかかる設備維持管理システム２ａの構成例を示すブロック図である。設備維持管理システム２ａは、設備維持管理システム２からデータ取得部２２を削除し、データ取得部２２ａおよび記憶部３０を追加したものである。
【００７０】
データ取得部２２ａは、データ取得部２２の機能に加えて、現在出力装置３に表示されている表示内容のために設備維持管理ＤＢ２３からデータを取得したときに入力イベント処理部２１から通知された入力イベントの情報すなわちユーザの選択内容を、識別情報であるプリセット番号とともに記憶部３０に記憶させる。
【００７１】
記憶部３０は、データ取得部２２ａが、プリセット番号とともに入力イベントの情報すなわちユーザの選択内容を記憶させるためのメモリである。
【００７２】
つづいて、設備維持管理システム２ａが、現在出力装置３に表示している表示内容についての入力イベントの情報を記憶する処理について説明する。図２２は、実施の形態３にかかる設備維持管理システム２ａが、入力イベントの情報を記憶する処理を示すフローチャートである。なお、図２２のフローチャートの処理を行う前提として、設備維持管理システム２ａが、実施の形態１，２の設備維持管理システム２と同様の処理によって、図９または図１８などの表示を行っているものとする。設備維持管理システム２ａでは、入力イベント処理部２１が、入力装置１を介してユーザから、現在出力装置３に表示している表示内容の保存要求、すなわち表示内容のプリセットメモリ要求を受け付ける（ステップＳＴ６１）。入力イベント処理部２１は、表示内容のプリセットメモリ要求を受け付けたことをデータ取得部２２ａに通知する。
【００７３】
データ取得部２２ａは、ユーザから現在出力装置３に表示している表示内容のプリセットメモリ要求があった場合、現在出力装置３に表示している表示内容のために設備維持管理ＤＢ２３からデータを取得したときに入力イベント処理部２１から通知された入力イベントの情報を、プリセット番号とともに記憶部３０に記憶させる（ステップＳＴ６２）。プリセット番号については、ステップＳＴ６１の段階でユーザが指定してもよいし、データ取得部２２ａが通し番号でプリセット番号を決定し、データ取得部２２ａがデータ処理部２４および詳細情報描画処理部２８などを介してプリセット番号を出力装置３に表示してもよい。
【００７４】
つぎに、設備維持管理システム２ａが、ユーザから受け付けたプリセット番号に基づいて出力装置３に表示をする処理について説明する。図２３は、実施の形態３にかかる設備維持管理システム２ａがユーザから受け付けたプリセット番号に基づいて出力装置３に表示をする処理を示すフローチャートである。設備維持管理システム２ａでは、入力イベント処理部２１が、入力装置１を介してユーザから、プリセット番号に基づく表示要求を受け付ける（ステップＳＴ７１）。具体的には、ユーザは、入力装置１から設備維持管理システム２ａにプリセット番号を入力する。入力イベント処理部２１は、プリセット番号に基づく表示要求を受け付けたことをデータ取得部２２ａに通知する。
【００７５】
データ取得部２２ａは、入力イベント処理部２１からプリセット番号に基づく表示要求の通知を受けると、プリセット番号に基づいて記憶部３０を参照し、該当するプリセット番号とともに記憶された入力イベントの情報を記憶部３０から読み出す（ステップＳＴ７２）。データ取得部２２ａは、記憶部３０から読み出した入力イベントに基づいて、設備維持管理ＤＢ２３から、各入力イベントに関連するデータを取得する（ステップＳＴ７３）。データ取得部２２ａは、取得したデータをデータ処理部２４に出力する。
【００７６】
データ処理部２４は、取得した各データを、各データの描画処理に該当する設備選択描画処理部２５、時間軸描画処理部２６、空間軸描画処理部２７、または詳細情報描画処理部２８のいずれかに出力する。設備選択描画処理部２５、時間軸描画処理部２６、空間軸描画処理部２７、または詳細情報描画処理部２８は、取得したデータに基づいて出力装置３に表示を行う（ステップＳＴ７４）。このとき、表示処理部２９は、ユーザが出力装置３に表示されていた表示内容の保存要求を行ったときの表示内容と同じ表示内容を、出力装置３に表示する処理を行う。図２２および図２３に示す設備維持管理システム２ａの処理を第５の表示処理ステップとする。
【００７７】
なお、設備維持管理システム２ａは、ユーザの操作によって以前に出力装置３に表示した表示内容について記憶するだけでなく、前回の使用時に表示されていた表示内容についての入力イベントの情報を記憶部３０に記憶しておき、次回の起動時に前回の表示内容と同じ表示を行ってもよい。また、設備維持管理システム２ａは、設備毎に、前回出力装置３に表示した表示内容についての入力イベントの情報を記憶部３０に記憶しておき、次に同じ設備が選択されたときに前回と同じ表示内容の表示を行ってもよい。
【００７８】
設備維持管理システム２ａのハードウェア構成について、記憶部３０は、メモリにより実現される。その他の構成については、設備維持管理システム２と同様である。
【００７９】
以上説明したように、本実施の形態によれば、設備維持管理システム２ａは、出力装置３に表示されている表示内容についての入力イベントの情報をプリセット番号とともに記憶しておく、ユーザによってプリセット番号が入力されたときはプリセット番号とともに記憶された入力イベントの情報を用いて出力装置３に表示する処理を行うこととした。これにより、ユーザは、過去に表示したものと同じ表示について、設備維持管理システム２ａに対して、実施の形態１，２と比較して少ない処理で所望の表示を得ることができる。
【００８０】
実施の形態４．
実施の形態４では、画像表示領域３０４に表示される設備の具体的な表示の例について説明する。実施の形態１から３のいずれにも適用可能であるが、実施の形態１を例にして説明する。設備維持管理システム２の構成は実施の形態１と同様である。
【００８１】
設備維持管理システム２では、設備の計測情報として２次元計測された写真などから画像表示領域３０４に変状展開図を表示する場合、変状展開図に入っている文字が左右反転、または上下反転して表示されることがある。設備維持管理システム２は、画像表示領域３０４の指定された範囲において、指定された範囲を左右反転または上下反転にして表示する。図２４は、実施の形態４にかかる設備維持管理システム２が画像表示領域３０４において指定された範囲を左右反転または上下反転して表示する処理を示すフローチャートである。設備維持管理システム２では、入力イベント処理部２１が、入力装置１を介してユーザから画像表示領域３０４での反転表示要求、および指定範囲を受け付ける（ステップＳＴ８１）。入力イベント処理部２１は、画像表示領域３０４での反転表示要求および指定範囲を受け付けたことを、データ取得部２２およびデータ処理部２４を介して、空間軸描画処理部２７に通知する。
【００８２】
空間軸描画処理部２７は、画像表示領域３０４での反転表示要求および指定範囲の入力イベントを受け付けると、指定範囲の画像を反転、具体的には左右反転または上下反転して出力装置３に表示する（ステップＳＴ８２）。図２４に示す設備維持管理システム２の処理を第６の表示処理ステップとする。
【００８３】
図２５は、実施の形態４にかかる設備維持管理システム２が画像表示領域３０４において指定範囲で画像を左右反転または上下反転して表示している状態の例を示す図である。一般的に、設備がトンネルなどの場合、写真などを使った２次元の展開図では、中心線より上部では上下反転して表示され、中心線より下部では左右反転して表示され、展開図に文字があると文字が読み取りにくくなることがある。設備維持管理システム２は、ユーザから指定された範囲、図２５の例では虫眼鏡のレンズ部分の範囲において、中心線より上部では上下反転して表示し、中心線より下部では左右反転して表示する。画像表示領域３０４に表示されている設備については、設備の全部または一部であるかを問わない。空間軸描画処理部２７は、設備の全部または一部を２次元表示している場合、指定された範囲の表示を上下反転または左右反転して表示する処理を行う。これにより、設備維持管理システム２は、出力装置３に表示する表示画面上でのユーザの視認性を向上させることができる。
【００８４】
なお、設備維持管理システム２では、図２４に示す処理において、選択された範囲で一律に画像を左右反転または上下反転するのではなく、選択された範囲で指定された文字を読み取って、読み取った文字に対して規定された表示内容、例えば反転していない正常な状態の文字を注釈文字として表示してもよい。図２６は、実施の形態４にかかる設備維持管理システム２が画像表示領域３０４において指定された文字に対して注釈文字を表示している状態の例を示す図である。処理の流れは図２４と同等である。この場合でも、設備維持管理システム２は、ユーザの視認性を向上させることができる。図２６についての設備維持管理システム２の処理を第７の表示処理ステップとする。
【００８５】
また、設備維持管理システム２では、画像表示領域３０４に設備の全部または一部を表示している場合、ユーザの選択によって、設備の表示形式を３次元表示するか２次元表示するかを切り換えることができる。この場合、空間軸描画処理部２７は、設備の全部または一部を２次元表示していて３次元表示に切り換える場合、または、設備の全部または一部を３次元表示していて２次元表示に切り換える場合、表示の切り換え時に切り換え過程をアニメーション表示する処理を行う。図２７は、実施の形態４にかかる設備維持管理システム２が設備の表示形式を切り換えるときの表示の推移の例を示す図である。図２７では、左から右の流れで２次元表示から３次元表示に切り換えるときの推移を示し、右から左の流れで３次元表示から２次元表示に切り換えるときの推移を示している。図２７についての設備維持管理システム２の処理を第８の表示処理ステップとする。これにより、ユーザは、２次元表示している展開図において、実際の設備での見え方のイメージがし易くなる。
【００８６】
以上説明したように、本実施の形態によれば、設備維持管理システム２は、画像表示領域３０４に表示されている画像について様々な追加処理による表示を行う。これにより、設備維持管理システム２は、出力装置３に表示する表示画面上でのユーザの視認性を向上させることができる。
【００８７】
実施の形態５．
実施の形態５では、設備維持管理システムを実際の設備のところで使用する場合の表示方法について説明する。
【００８８】
図２８は、実施の形態５にかかる設備維持管理システム２ｂの構成例を示すブロック図である。設備維持管理システム２ｂは、設備維持管理システム２からデータ処理部２４および空間軸描画処理部２７を削除し、入力装置１、出力装置３、データ処理部２４ｂ、空間軸描画処理部２７ｂおよび検知部３１を追加したものである。なお、データ処理部２４ｂ、設備選択描画処理部２５、時間軸描画処理部２６、空間軸描画処理部２７ｂ、および詳細情報描画処理部２８で表示処理部２９ｂを構成する。設備維持管理システム２ｂは、入力装置１および出力装置３を備えたタブレット型の端末である。
【００８９】
検知部３１は、設備維持管理システム２ｂすなわち出力装置３の姿勢を検知する。すなわち、検知部３１は、出力装置３の向き、角度などを検知する。また、検知部３１は、設備維持管理システム２ｂの位置を計測する。設備維持管理システム２ｂの位置を計測する方法については、ＧＰＳ（Global  Positioning  System）を利用する方法があるが、これに限定されるものではない。また、検知部３１は、ジャイロセンサを備えていてもよい。検知部３１は、出力装置３の姿勢の検知結果を、データ処理部２４ｂに出力する。データ処理部２４ｂは、検知部３１から取得した出力装置３の姿勢の検知結果を、空間軸描画処理部２７ｂに出力する。
【００９０】
空間軸描画処理部２７ｂは、検知部３１の検知結果に基づいて、出力装置３の角度によって出力装置３に表示する設備の表示範囲を変更する表示処理を行う。具体的に、空間軸描画処理部２７ｂは、画像表示領域３０４において設備の全部または一部を２次元表示または３次元表示している場合、検知部３１の検知結果に基づいて、出力装置３の姿勢が下から見上げる姿勢のときは設備を見上げる位置から見た状態で出力装置３に表示する処理を行う。また、空間軸描画処理部２７ｂは、画像表示領域３０４において設備の全部または一部を２次元表示または３次元表示している場合、検知部３１の検知結果に基づいて、出力装置３の姿勢が上から見下ろす姿勢のときは設備を見下ろす位置から見た状態で出力装置３に表示する処理を行う。
【００９１】
図２９は、実施の形態５にかかる設備維持管理システム２ｂと実際の設備との位置関係の例を示す図である。設備維持管理システム２ｂは、図２９に示すように、ユーザが設備維持管理システム２ｂを持って設備すなわちトンネルの右側面を見ている場合、出力装置３にトンネルの右側面の部分を表示する。図２９についての設備維持管理システム２ｂの処理を第９の表示処理ステップとする。
【００９２】
設備維持管理システム２ｂのハードウェア構成については、設備維持管理システム２と同様である。
【００９３】
以上説明したように、本実施の形態によれば、設備維持管理システム２ｂは、ユーザが携帯して使用される場合に、出力装置３すなわち表示部の姿勢によって表示対象の設備の表示範囲を変更することとした。これにより、ユーザは、実際の設備と変状などが表示された設備維持管理システム２ｂとを見比べることによって、実際の設備において容易に変状を検出することができる。
【００９４】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００９５】
１  入力装置、２，２ａ，２ｂ  設備維持管理システム、３  出力装置、２１  入力イベント処理部、２２，２２ａ  データ取得部、２３  設備維持管理ＤＢ、２４，２４ｂ  データ処理部、２５  設備選択描画処理部、２６  時間軸描画処理部、２７，２７ｂ  空間軸描画処理部、２８  詳細情報描画処理部、２９，２９ｂ  表示処理部、３０  記憶部、３１  検知部。
【図１】
2018138912.tif 000003
【図２】
2018138912.tif 000004
【図３】
2018138912.tif 000005
【図４】
2018138912.tif 000006
【図５】
2018138912.tif 000007
【図６】
2018138912.tif 000008
【図７】
2018138912.tif 000009
【図８】
2018138912.tif 000010
【図９】
2018138912.tif 000011
【図１０】
2018138912.tif 000012
【図１１】
2018138912.tif 000013
【図１２】
2018138912.tif 000014
【図１３】
2018138912.tif 000015
【図１４】
2018138912.tif 000016
【図１５】
2018138912.tif 000017
【図１６】
2018138912.tif 000018
【図１７】
2018138912.tif 000019
【図１８】
2018138912.tif 000020
【図１９】
2018138912.tif 000021
【図２０】
2018138912.tif 000022
【図２１】
2018138912.tif 000023
【図２２】
2018138912.tif 000024
【図２３】
2018138912.tif 000025
【図２４】
2018138912.tif 000026
【図２５】
2018138912.tif 000027
【図２６】
2018138912.tif 000028
【図２７】
2018138912.tif 000029
【図２８】
2018138912.tif 000030
【図２９】
2018138912.tif 000031
【手続補正書】
【提出日】平成29年6月16日(2017.6.16)
【手続補正１】
【補正対象書類名】特許請求の範囲
【補正対象項目名】全文
【補正方法】変更
【補正の内容】
【特許請求の範囲】
【請求項１】
ユーザによる入力イベントを受け付ける入力イベント処理部と、
維持管理対象の設備を計測して得られた計測情報および設備の保守情報を含むデータを格納する設備維持管理データベースから、前記入力イベント処理部で受け付けられた前記入力イベントに関連するデータを取得するデータ取得部と、
前記データ取得部で取得されたデータに基づいて、前記ユーザにより選択された設備についてのデータの取得時期の分布および設備上での分布を表示する処理を行い、前記ユーザにより選択されたデータについての詳細情報を表示する処理を行う表示処理部と、
を備えることを特徴とする設備維持管理システム。
【請求項２】
前記表示処理部は、前記ユーザにより選択された設備についてのデータの取得時期の分布を表示する処理を行い、前記取得時期の分布において前記ユーザにより選択された取得時期におけるデータの設備上での分布を表示する処理を行い、前記設備上でのデータの分布において前記ユーザにより選択された位置のデータについての詳細情報を表示する処理を行う、
ことを特徴とする請求項１に記載の設備維持管理システム。
【請求項３】
前記入力イベント処理部は、前記ユーザから、表示対象の設備の選択、データの取得時期の分布からデータの表示対象とする取得時期の選択において１つ以上の取得時期の選択、および設備上でのデータの分布から詳細情報を表示する対象のデータの位置の選択において１つ以上の位置の選択、の入力イベントを受け付ける、
ことを特徴とする請求項１または２に記載の設備維持管理システム。
【請求項４】
前記表示処理部は、前記データの取得時期の分布の表示において、前記データの取得時期を時系列にして、データの種別が異なる同一取得時期のデータを積み重ねてまたは並べて表示する処理を行う、
ことを特徴とする請求項１から３のいずれか１つに記載の設備維持管理システム。
【請求項５】
前記表示処理部は、前記データの設備上での分布の表示において、前記設備を複数の区間に分けて、各区間においてデータの種別が異なる同一区間のデータを積み重ねてまたは並べて表示する処理を行い、さらに、選択された区間について前記計測情報を用いて前記設備を２次元表示または３次元表示し、２次元表示または３次元表示した設備の区間上に、該当するデータを分布して表示する処理を行う、
ことを特徴とする請求項１から４のいずれか１つに記載の設備維持管理システム。
【請求項６】
前記表示処理部は、前記データについての詳細情報の表示において、該当するデータについて前記データ取得部で前記設備維持管理データベースから取得された文字情報または画像情報の少なくとも１つを表示する処理を行う、
ことを特徴とする請求項１から５のいずれか１つに記載の設備維持管理システム。
【請求項７】
請求項１から６のいずれか１つに記載の処理を所望のデータについての詳細情報を表示するモードとする場合、
前記入力イベント処理部は、前記ユーザから、経年変化を表示するモードの選択、および経年変化の表示対象の設備の選択を受け付け、
前記データ取得部は、前記設備維持管理データベースから前記経年変化の表示対象の設備に関連するデータを取得し、
前記表示処理部は、規定された期間の単位で前記経年変化の表示対象の設備を並べて複数表示する処理を行い、各期間の設備上に少なくとも前記保守情報に含まれる一部の情報を表示する処理を行う、
ことを特徴とする請求項１から６のいずれか１つに記載の設備維持管理システム。
【請求項８】
前記表示処理部は、前記各期間の設備のいずれかにおいて重畳表示対象の範囲が選択された場合、前記重畳表示対象の範囲に該当する前記各期間の設備の範囲の部分を重畳表示する処理を行う、
ことを特徴とする請求項７に記載の設備維持管理システム。
【請求項９】
前記表示処理部の処理によって表示されている表示内容に対する前記ユーザの選択内容を、識別情報とともに記憶する記憶部、
を備え、
前記入力イベント処理部は、前記ユーザから前記識別情報を受け付け、
前記データ取得部は、前記記憶部を参照し、前記設備維持管理データベースから前記識別情報に基づく前記ユーザの選択内容に関連するデータを取得し、
前記表示処理部は、前記データ取得部で取得されたデータを用いて、前記表示内容と同じ表示内容を表示する処理を行う、
ことを特徴とする請求項１から８のいずれか１つに記載の設備維持管理システム。
【請求項１０】
前記表示処理部は、前記設備の全部または一部を２次元表示している場合、指定された範囲の表示を上下反転または左右反転して表示する処理を行う、
ことを特徴とする請求項１から９のいずれか１つに記載の設備維持管理システム。
【請求項１１】
前記表示処理部は、前記設備の全部または一部を２次元表示または３次元表示している場合、表示されている文字のうち指定された文字に対して、規定された表示内容を表示する処理を行う、
ことを特徴とする請求項１から９のいずれか１つに記載の設備維持管理システム。
【請求項１２】
前記表示処理部は、前記設備の全部または一部を２次元表示していて３次元表示に切り換える場合、または、前記設備の全部または一部を３次元表示していて２次元表示に切り換える場合、表示の切り換え時に切り換え過程をアニメーション表示する処理を行う、
ことを特徴とする請求項１から１１のいずれか１つに記載の設備維持管理システム。
【請求項１３】
前記表示処理部の表示処理によって表示を行う表示部と、
前記表示部の姿勢を検知する検知部と、
を備え、
前記表示処理部は、前記検知部の検知結果に基づいて、前記表示部の角度によって前記表示部に表示する設備の表示範囲を変更する表示処理を行う、
ことを特徴とする請求項１から１２のいずれか１つに記載の設備維持管理システム。
【請求項１４】
前記表示処理部は、前記設備を２次元表示または３次元表示している場合、前記検知部の検知結果に基づいて、前記表示部の姿勢が下から見上げる姿勢のときは前記設備を見上げる位置から見た状態で前記表示部に表示する処理を行い、前記表示部の姿勢が上から見下ろす姿勢のときは前記設備を見下ろす位置から見た状態で前記表示部に表示する処理を行う、
ことを特徴とする請求項１３に記載の設備維持管理システム。
【請求項１５】
ユーザによる入力イベントを受け付ける入力イベント処理部と、
維持管理対象の設備を計測して得られた計測情報および設備の保守情報を含むデータを格納する設備維持管理データベースから、前記入力イベント処理部で受け付けられた前記入力イベントに関連するデータを取得するデータ取得部と、
前記データ取得部で取得されたデータに基づいて、前記ユーザにより選択された設備についてのデータの取得時期の分布を表示する処理を行う表示処理部と、
を備えることを特徴とする設備維持管理システム。
【請求項１６】
前記表示処理部は、前記データ取得部で取得されたデータに基づいて、設備上での分布を表示する処理を行う、
ことを特徴とする請求項１５に記載の設備維持管理システム。
【請求項１７】
前記表示処理部は、前記ユーザにより選択されたデータについての詳細情報を表示する処理を行う、
ことを特徴とする請求項１５に記載の設備維持管理システム。
【請求項１８】
設備維持管理システムにおける設備情報提供方法であって、
ユーザから表示対象の設備の選択を受け付け、維持管理対象の設備を計測して得られた計測情報および設備の保守情報を含むデータを格納する設備維持管理データベースから関連するデータを取得し、選択された設備についてのデータの取得時期の分布を表示する処理を行う第１の表示処理ステップと、
前記ユーザからデータの取得時期の分布からデータの表示対象とする取得時期の選択において１つ以上の取得時期の選択を受け付け、前記設備維持管理データベースから関連するデータを取得し、選択された取得時期におけるデータの設備上での分布を表示する処理を行う第２の表示処理ステップと、
前記ユーザから設備上でのデータの分布から詳細情報を表示する対象のデータの位置の選択において１つ以上の位置の選択を受け付け、前記設備維持管理データベースから関連するデータを取得し、選択された位置のデータについての詳細情報を表示する処理を行う第３の表示処理ステップと、
を含むことを特徴とする設備情報提供方法。
【請求項１９】
前記第１の表示処理ステップにおいて、前記データの取得時期を時系列にして、データの種別が異なる同一取得時期のデータを積み重ねてまたは並べて表示する処理を行う、
ことを特徴とする請求項１８に記載の設備情報提供方法。
【請求項２０】
前記第２の表示処理ステップにおいて、前記設備を複数の区間に分けて、各区間においてデータの種別が異なる同一区間のデータを積み重ねてまたは並べて表示する処理を行い、さらに、選択された区間について前記計測情報を用いて前記設備を２次元表示または３次元表示し、２次元表示または３次元表示した設備の区間上に、該当するデータを分布して表示する処理を行う、
ことを特徴とする請求項１８または１９に記載の設備情報提供方法。
【請求項２１】
前記第３の表示処理ステップにおいて、該当するデータについて前記設備維持管理データベースから取得した文字情報または画像情報の少なくとも１つを表示する処理を行う、
ことを特徴とする請求項１８から２０のいずれか１つに記載の設備情報提供方法。
【請求項２２】
請求項１８から２１のいずれか１つに記載の処理を所望のデータについての詳細情報を表示するモードとする場合、
前記ユーザから経年変化を表示するモードの選択および経年変化の表示対象の設備の選択を受け付け、前記設備維持管理データベースから前記経年変化の表示対象の設備に関連するデータを取得し、規定された期間の単位で前記経年変化の表示対象の設備を並べて複数表示する処理を行い、各期間の設備上に少なくとも前記保守情報に含まれる一部の情報を表示する処理を行う第４の表示処理ステップ、
を含むことを特徴とする請求項１８から２１のいずれか１つに記載の設備情報提供方法。
【請求項２３】
前記第４の表示処理ステップにおいて、前記各期間の設備のいずれかにおいて重畳表示対象の範囲が選択された場合、前記重畳表示対象の範囲に該当する前記各期間の設備の範囲の部分を重畳表示する処理を行う、
ことを特徴とする請求項２２に記載の設備情報提供方法。
【請求項２４】
前記ユーザから識別情報を受け付け、表示されている表示内容に対する前記ユーザの選択内容を前記識別情報とともに記憶する記憶部を参照し、前記設備維持管理データベースから前記識別情報に基づく前記ユーザの選択内容に関連するデータを取得し、前記表示内容と同じ表示内容を表示する処理を行う第５の表示処理ステップ、
を含むことを特徴とする請求項１８から２３のいずれか１つに記載の設備情報提供方法。
【請求項２５】
前記設備の全部または一部を２次元表示している場合、指定された範囲の表示を上下反転または左右反転して表示する処理を行う第６の表示処理ステップ、
を含むことを特徴とする請求項１８から２４のいずれか１つに記載の設備情報提供方法。
【請求項２６】
前記設備の全部または一部を２次元表示または３次元表示している場合、表示されている文字のうち指定された文字に対して、規定された表示内容を表示する処理を行う第７の表示処理ステップ、
を含むことを特徴とする請求項１８から２４のいずれか１つに記載の設備情報提供方法。
【請求項２７】
前記設備の全部または一部を２次元表示していて３次元表示に切り換える場合、または、前記設備の全部または一部を３次元表示していて２次元表示に切り換える場合、表示の切り換え時に切り換え過程をアニメーション表示する処理を行う第８の表示処理ステップ、
を含むことを特徴とする請求項１８から２６のいずれか１つに記載の設備情報提供方法。
【請求項２８】
前記設備維持管理システムが、表示を行う表示部を備える場合、
前記表示部の姿勢の検知結果に基づいて、前記表示部の角度によって前記表示部に表示する設備の表示範囲を変更する表示処理を行う第９の表示処理ステップ、
を含むことを特徴とする請求項１８から２７のいずれか１つに記載の設備情報提供方法。
【請求項２９】
前記第９の表示処理ステップにおいて、前記設備を２次元表示または３次元表示している場合、前記検知結果に基づいて、前記表示部の姿勢が下から見上げる姿勢のときは前記設備を見上げる位置から見た状態で前記表示部に表示する処理を行い、前記表示部の姿勢が上から見下ろす姿勢のときは前記設備を見下ろす位置から見た状態で前記表示部に表示する処理を行う、
ことを特徴とする請求項２８に記載の設備情報提供方法。
【請求項３０】
設備維持管理システムにおける設備情報提供方法であって、
ユーザから表示対象の設備の選択を受け付け、維持管理対象の設備を計測して得られた計測情報および設備の保守情報を含むデータを格納する設備維持管理データベースから関連するデータを取得し、選択された設備についてのデータの取得時期の分布を表示する処理を行う第１の表示処理ステップ、
を含むことを特徴とする設備情報提供方法。
【請求項３１】
前記ユーザからデータの取得時期の分布からデータの表示対象とする取得時期の選択において１つ以上の取得時期の選択を受け付け、前記設備維持管理データベースから関連するデータを取得し、選択された取得時期におけるデータの設備上での分布を表示する処理を行う第２の表示処理ステップ、
を含むことを特徴とする請求項３０に記載の設備情報提供方法。
【請求項３２】
前記ユーザから設備上でのデータの分布から詳細情報を表示する対象のデータの位置の選択において１つ以上の位置の選択を受け付け、前記設備維持管理データベースから関連するデータを取得し、選択された位置のデータについての詳細情報を表示する処理を行う第３の表示処理ステップ、
を含むことを特徴とする請求項３０に記載の設備情報提供方法。
【手続補正書】
【提出日】平成29年9月15日(2017.9.15)
【手続補正１】
【補正対象書類名】特許請求の範囲
【補正対象項目名】全文
【補正方法】変更
【補正の内容】
【特許請求の範囲】
【請求項１】
ユーザによる入力イベントを受け付ける入力イベント処理部と、
維持管理対象の設備を計測して得られた計測情報および設備の保守情報を含むデータを格納する設備維持管理データベースから、前記入力イベント処理部で受け付けられた前記入力イベントに関連するデータを取得するデータ取得部と、
前記データ取得部で取得されたデータに基づいて、前記ユーザにより選択された設備についてのデータの取得時期の分布および設備上での分布を表示する処理を行い、前記ユーザにより選択されたデータについての詳細情報を表示する処理を行う表示処理部と、
を備えることを特徴とする設備維持管理システム。
【請求項２】
前記表示処理部は、前記ユーザにより選択された設備についてのデータの取得時期の分布を表示する処理を行い、前記取得時期の分布において前記ユーザにより選択された取得時期におけるデータの設備上での分布を表示する処理を行い、前記設備上でのデータの分布において前記ユーザにより選択された位置のデータについての詳細情報を表示する処理を行う、
ことを特徴とする請求項１に記載の設備維持管理システム。
【請求項３】
前記入力イベント処理部は、前記ユーザから、表示対象の設備の選択、データの取得時期の分布からデータの表示対象とする取得時期の選択において１つ以上の取得時期の選択、および設備上でのデータの分布から詳細情報を表示する対象のデータの位置の選択において１つ以上の位置の選択、の入力イベントを受け付ける、
ことを特徴とする請求項１または２に記載の設備維持管理システム。
【請求項４】
前記表示処理部は、前記データの取得時期の分布の表示において、前記データの取得時期を時系列にして、データの種別が異なる同一取得時期のデータを積み重ねてまたは並べて表示する処理を行う、
ことを特徴とする請求項１から３のいずれか１つに記載の設備維持管理システム。
【請求項５】
前記表示処理部は、前記データの設備上での分布の表示において、前記設備を複数の区間に分けて、各区間においてデータの種別が異なる同一区間のデータを積み重ねてまたは並べて表示する処理を行い、さらに、選択された区間について前記計測情報を用いて前記設備を２次元表示または３次元表示し、２次元表示または３次元表示した設備の区間上に、該当するデータを分布して表示する処理を行う、
ことを特徴とする請求項１から４のいずれか１つに記載の設備維持管理システム。
【請求項６】
前記表示処理部は、前記データについての詳細情報の表示において、該当するデータについて前記データ取得部で前記設備維持管理データベースから取得された文字情報または画像情報の少なくとも１つを表示する処理を行う、
ことを特徴とする請求項１から５のいずれか１つに記載の設備維持管理システム。
【請求項７】
請求項１から６のいずれか１つに記載の処理を所望のデータについての詳細情報を表示するモードとする場合、
前記入力イベント処理部は、前記ユーザから、経年変化を表示するモードの選択、および経年変化の表示対象の設備の選択を受け付け、
前記データ取得部は、前記設備維持管理データベースから前記経年変化の表示対象の設備に関連するデータを取得し、
前記表示処理部は、規定された期間の単位で前記経年変化の表示対象の設備を並べて複数表示する処理を行い、各期間の設備上に少なくとも前記保守情報に含まれる一部の情報を表示する処理を行う、
ことを特徴とする請求項１から６のいずれか１つに記載の設備維持管理システム。
【請求項８】
前記表示処理部は、前記各期間の設備のいずれかにおいて重畳表示対象の範囲が選択された場合、前記重畳表示対象の範囲に該当する前記各期間の設備の範囲の部分を重畳表示する処理を行う、
ことを特徴とする請求項７に記載の設備維持管理システム。
【請求項９】
前記表示処理部の処理によって表示されている表示内容に対する前記ユーザの選択内容を、識別情報とともに記憶する記憶部、
を備え、
前記入力イベント処理部は、前記ユーザから前記識別情報を受け付け、
前記データ取得部は、前記記憶部を参照し、前記設備維持管理データベースから前記識別情報に基づく前記ユーザの選択内容に関連するデータを取得し、
前記表示処理部は、前記データ取得部で取得されたデータを用いて、前記表示内容と同じ表示内容を表示する処理を行う、
ことを特徴とする請求項１から８のいずれか１つに記載の設備維持管理システム。
【請求項１０】
前記表示処理部は、前記設備の全部または一部を２次元表示している場合、指定された範囲の表示を上下反転または左右反転して表示する処理を行う、
ことを特徴とする請求項１から９のいずれか１つに記載の設備維持管理システム。
【請求項１１】
前記表示処理部は、前記設備の全部または一部を２次元表示または３次元表示している場合、表示されている文字のうち指定された文字に対して、規定された表示内容を表示する処理を行う、
ことを特徴とする請求項１から９のいずれか１つに記載の設備維持管理システム。
【請求項１２】
前記表示処理部は、前記設備の全部または一部を２次元表示していて３次元表示に切り換える場合、または、前記設備の全部または一部を３次元表示していて２次元表示に切り換える場合、表示の切り換え時に切り換え過程をアニメーション表示する処理を行う、
ことを特徴とする請求項１から１１のいずれか１つに記載の設備維持管理システム。
【請求項１３】
前記表示処理部の表示処理によって表示を行う表示部と、
前記表示部の姿勢を検知する検知部と、
を備え、
前記表示処理部は、前記検知部の検知結果に基づいて、前記表示部の角度によって前記表示部に表示する設備の表示範囲を変更する表示処理を行う、
ことを特徴とする請求項１から１２のいずれか１つに記載の設備維持管理システム。
【請求項１４】
前記表示処理部は、前記設備を２次元表示または３次元表示している場合、前記検知部の検知結果に基づいて、前記表示部の姿勢が下から見上げる姿勢のときは前記設備を見上げる位置から見た状態で前記表示部に表示する処理を行い、前記表示部の姿勢が上から見下ろす姿勢のときは前記設備を見下ろす位置から見た状態で前記表示部に表示する処理を行う、
ことを特徴とする請求項１３に記載の設備維持管理システム。
【請求項１５】
ユーザによる入力イベントを受け付ける入力イベント処理部と、
維持管理対象の設備を計測して得られた計測情報および設備の保守情報を含むデータを格納する設備維持管理データベースから、前記入力イベント処理部で受け付けられた前記入力イベントに関連するデータを取得するデータ取得部と、
前記データ取得部で取得されたデータに基づいて、前記ユーザにより選択された設備についてのデータの取得時期の分布を表示する処理を行う表示処理部と、
を備えることを特徴とする設備維持管理システム。
【請求項１６】
前記表示処理部は、前記データ取得部で取得されたデータに基づいて、設備上での分布を表示する処理を行う、
ことを特徴とする請求項１５に記載の設備維持管理システム。
【請求項１７】
前記表示処理部は、前記ユーザにより選択されたデータについての詳細情報を表示する処理を行う、
ことを特徴とする請求項１５に記載の設備維持管理システム。
【請求項１８】
設備維持管理システムにおける設備情報提供方法であって、
入力イベント処理部が、ユーザから、表示対象の設備の選択を受け付け、データ取得部が、維持管理対象の設備を計測して得られた計測情報および設備の保守情報を含むデータを格納する設備維持管理データベースから前記設備に関連するデータを取得し、表示処理部が、選択された設備についてのデータの取得時期の分布を表示する処理を行う第１の表示処理ステップと、
前記入力イベント処理部が、前記ユーザから、データの取得時期の分布からデータの表示対象とする取得時期の選択において１つ以上の取得時期の選択を受け付け、前記データ取得部が、前記設備維持管理データベースから前記取得時期に関連するデータを取得し、前記表示処理部が、選択された取得時期におけるデータの設備上での分布を表示する処理を行う第２の表示処理ステップと、
前記入力イベント処理部が、前記ユーザから、設備上でのデータの分布から詳細情報を表示する対象のデータの位置の選択において１つ以上の位置の選択を受け付け、前記データ取得部が、前記設備維持管理データベースから前記位置に関連するデータを取得し、前記表示処理部が、選択された位置のデータについての詳細情報を表示する処理を行う第３の表示処理ステップと、
を含むことを特徴とする設備情報提供方法。
【請求項１９】
前記第１の表示処理ステップにおいて、前記表示処理部は、前記データの取得時期を時系列にして、データの種別が異なる同一取得時期のデータを積み重ねてまたは並べて表示する処理を行う、
ことを特徴とする請求項１８に記載の設備情報提供方法。
【請求項２０】
前記第２の表示処理ステップにおいて、前記表示処理部は、前記設備を複数の区間に分けて、各区間においてデータの種別が異なる同一区間のデータを積み重ねてまたは並べて表示する処理を行い、さらに、選択された区間について前記計測情報を用いて前記設備を２次元表示または３次元表示し、２次元表示または３次元表示した設備の区間上に、該当するデータを分布して表示する処理を行う、
ことを特徴とする請求項１８または１９に記載の設備情報提供方法。
【請求項２１】
前記第３の表示処理ステップにおいて、前記表示処理部は、該当するデータについて前記データ取得部で前記設備維持管理データベースから取得された文字情報または画像情報の少なくとも１つを表示する処理を行う、
ことを特徴とする請求項１８から２０のいずれか１つに記載の設備情報提供方法。
【請求項２２】
請求項１８から２１のいずれか１つに記載の処理を所望のデータについての詳細情報を表示するモードとする場合、
前記入力イベント処理部が、前記ユーザから、経年変化を表示するモードの選択および経年変化の表示対象の設備の選択を受け付け、前記データ取得部が、前記設備維持管理データベースから前記経年変化の表示対象の設備に関連するデータを取得し、前記表示処理部が、規定された期間の単位で前記経年変化の表示対象の設備を並べて複数表示する処理を行い、各期間の設備上に少なくとも前記保守情報に含まれる一部の情報を表示する処理を行う第４の表示処理ステップ、
を含むことを特徴とする請求項１８から２１のいずれか１つに記載の設備情報提供方法。
【請求項２３】
前記第４の表示処理ステップにおいて、前記表示処理部は、前記各期間の設備のいずれかにおいて重畳表示対象の範囲が選択された場合、前記重畳表示対象の範囲に該当する前記各期間の設備の範囲の部分を重畳表示する処理を行う、
ことを特徴とする請求項２２に記載の設備情報提供方法。
【請求項２４】
前記入力イベント処理部が、前記ユーザから、識別情報を受け付け、前記データ取得部が、表示されている表示内容に対する前記ユーザの選択内容を前記識別情報とともに記憶する記憶部を参照し、前記設備維持管理データベースから前記識別情報に基づく前記ユーザの選択内容に関連するデータを取得し、前記表示処理部が、前記データ取得部で取得されたデータを用いて、前記表示内容と同じ表示内容を表示する処理を行う第５の表示処理ステップ、
を含むことを特徴とする請求項１８から２３のいずれか１つに記載の設備情報提供方法。
【請求項２５】
前記表示処理部が、前記設備の全部または一部を２次元表示している場合、指定された範囲の表示を上下反転または左右反転して表示する処理を行う第６の表示処理ステップ、
を含むことを特徴とする請求項１８から２４のいずれか１つに記載の設備情報提供方法。
【請求項２６】
前記表示処理部が、前記設備の全部または一部を２次元表示または３次元表示している場合、表示されている文字のうち指定された文字に対して、規定された表示内容を表示する処理を行う第７の表示処理ステップ、
を含むことを特徴とする請求項１８から２４のいずれか１つに記載の設備情報提供方法。
【請求項２７】
前記表示処理部が、前記設備の全部または一部を２次元表示していて３次元表示に切り換える場合、または、前記設備の全部または一部を３次元表示していて２次元表示に切り換える場合、表示の切り換え時に切り換え過程をアニメーション表示する処理を行う第８の表示処理ステップ、
を含むことを特徴とする請求項１８から２６のいずれか１つに記載の設備情報提供方法。
【請求項２８】
前記設備維持管理システムが、前記表示処理部の表示処理によって表示を行う表示部と、前記表示部の姿勢を検知する検知部と、を備える場合、
前記表示処理部が、前記検知部の検知結果に基づいて、前記表示部の角度によって前記表示部に表示する設備の表示範囲を変更する表示処理を行う第９の表示処理ステップ、
を含むことを特徴とする請求項１８から２７のいずれか１つに記載の設備情報提供方法。
【請求項２９】
前記第９の表示処理ステップにおいて、前記表示処理部は、前記設備を２次元表示または３次元表示している場合、前記検知結果に基づいて、前記表示部の姿勢が下から見上げる姿勢のときは前記設備を見上げる位置から見た状態で前記表示部に表示する処理を行い、前記表示部の姿勢が上から見下ろす姿勢のときは前記設備を見下ろす位置から見た状態で前記表示部に表示する処理を行う、
ことを特徴とする請求項２８に記載の設備情報提供方法。
【請求項３０】
設備維持管理システムにおける設備情報提供方法であって、
入力イベント処理部が、ユーザから、表示対象の設備の選択を受け付け、データ取得部が、維持管理対象の設備を計測して得られた計測情報および設備の保守情報を含むデータを格納する設備維持管理データベースから前記設備に関連するデータを取得し、表示処理部が、選択された設備についてのデータの取得時期の分布を表示する処理を行う第１の表示処理ステップ、
を含むことを特徴とする設備情報提供方法。
【請求項３１】
前記入力イベント処理部が、前記ユーザから、データの取得時期の分布からデータの表示対象とする取得時期の選択において１つ以上の取得時期の選択を受け付け、前記データ取得部が、前記設備維持管理データベースから前記取得時期に関連するデータを取得し、前記表示処理部が、選択された取得時期におけるデータの設備上での分布を表示する処理を行う第２の表示処理ステップ、
を含むことを特徴とする請求項３０に記載の設備情報提供方法。
【請求項３２】
前記入力イベント処理部が、前記ユーザから、設備上でのデータの分布から詳細情報を表示する対象のデータの位置の選択において１つ以上の位置の選択を受け付け、前記データ取得部が、前記設備維持管理データベースから前記位置に関連するデータを取得し、前記表示処理部が、選択された位置のデータについての詳細情報を表示する処理を行う第３の表示処理ステップ、
を含むことを特徴とする請求項３０に記載の設備情報提供方法。
【国際調査報告】
2018138912.tif 000032
2018138912.tif 000033
2018138912.tif 000034
2018138912.tif 000035